(57)【特許請求の範囲】
【請求項１】
冷却塔の受皿辺縁部と散水槽架台間に立設してルーバーを支持するルーバーサポートの取付け構成体であって、ルーバーサポートの下端に、前記受皿辺縁部に設けた支持枠の立上げ片を挟着する切欠き部を設けると共に、前記散水槽架台の水平板部の二箇所を打抜いて折返し片を形成し、双方の折返し片間に、前記ルーバーサポートの上端を挟持するように為したことを特徴とする冷却塔のルーバーサポート取付け構成体。
【発明の詳細な説明】
【０００１】
【発明の属する技術分野】
本発明は、冷却塔にルーバーサポートを簡単に取付けられる構造にして、冷却塔の組立て作業工数の削減を図ったルーバーサポートの取付け構成体に関するものである。
【０００２】
【従来技術とその課題】
従来、冷却塔にルーバーサポートを取付ける場合には、図６に展開斜視図で示すように、ルーバーサポート６３の上端部を、散水槽架台６６の水平板部６６１の裏面に固着した箱状の固定ピース６７内に挿着したのち、受皿６１の辺縁部６１１に、立上げ片６２１を有する取付けピース６２をボルトとナットにより締着すると共に、この取付けピース６２の立上げ片６２１を、ボルト６４とナット６５によりルーバーサポート６３の下端部に締着することにより、受皿６１の辺縁部６１１と散水槽架台６６の水平板部６６１間にルーバーサポート６３を取付けることが行なわれていた。
【０００３】
上記取付け方法では、受皿６１の辺縁部６１１と取付けピース６２、及びこの取付けピース６２とルーバーサポート６３の下端部との間を、何れもボルトとナットにより締着しなければならないので、その取付け作業に手間取ると共に、予め製作しておいた箱状の固定ピース６７を、溶接等の手段により散水槽架台６６の水平板部６６１に固着しておかなければならないので、製作コストが嵩む等の問題がある。
【０００４】
【発明が解決しようとする課題】
本発明は、上述の課題を解決すべく為されたものであって、冷却塔の受皿辺縁部と散水槽架台間に、切欠き部を設けただけの簡単な構造のルーバーサポートを、極めて容易に取付けられるように工夫が施された冷却塔のルーバーサポート取付け構成体を提供せんとするものである。
【０００５】
【課題を解決するための手段】
本発明は上記課題を解決するためのものであって、その要旨は、冷却塔の受皿辺縁部と散水槽架台間に立設してルーバーを支持するルーバーサポートの取付け構成体であって、ルーバーサポートの下端に、前記受皿辺縁部に設けた支持枠の立上げ片を挟着する切欠き部を設けると共に、前記散水槽架台の水平板部の二箇所を打抜いて折返し片を形成し、双方の折返し片間に、前記ルーバーサポートの上端を挟持するように為したことを特徴とする冷却塔のルーバーサポート取付け構成体である。
【０００６】
【発明の実施の形態】
以下、本発明の実施例を図面に基づき具体的に説明する。
図１は本発明の実施例を示す部分省略した斜視図、図２は本発明で用いるルーバーサポートを示す側面図、図３は本発明で散水槽架台に形成する折返し片を示す透視正面図、図４は、図１のＸ−Ｘ線矢示の側断面図により、散水槽架台と受皿辺縁部間に本発明品を取付けた状態を示し、図５は本発明品が取付けられた冷却塔を示す側面図である。
【０００７】
本発明は、図示したように、冷却塔Ａの受皿１２の辺縁部１２１と散水槽架台１３間に立設してルーバー１１３を支持するルーバーサポート１１の取付け構成体１であって、ルーバーサポート１１の下端に、上記受皿辺縁部１２１に設けた支持枠１２２の立上げ片１２３を挟着する切欠き部１１２を設けると共に、上記散水槽架台１３の水平板部１３１の二箇所を打抜いて折返し片１３３，１３３を形成し、双方の折返し片１３３，１３３間に、上記ルーバーサポート１１の上端を挟持するように為したことを特徴とするものである。
【０００８】
本発明により、ルーバーサポート１１の下端に切欠き部１１２を設け、この切欠き部１１２に、受皿辺縁部１２１に設けた支持枠１２２の立上げ片１２３を挟着すると共に、ルーバーサポート１１の上端を、散水槽架台１３の水平板部１３１の二箇所を打抜いて形成した折返し片１３３，１３３間に挟持するのみで、冷却塔Ａの受皿１２の辺縁部１２１と散水槽架台１３間にルーバーサポート１１を簡単に取付けできるので、冷却塔Ａの組立て作業工数の削減効果が大きい。
【０００９】
【実施例】
本発明において、図１に斜視図で、図２に側面図で、また図４に側断面図で示すように、Ｉ形鋼よりなり、ルーバー１１３を止着する止着孔１１１を所定間隔に穿設したルーバーサポート１１の下端に、受皿辺縁部１２１に設けた支持枠１２２の立上げ片１２３を挟着するための切欠き部１１２が形成される。この切欠き部１１２は、立上げ片１２３の高さと傾斜度に符合させて切抜き形成される。
【００１０】
一方、図１、及び図３に正面図で示すように、散水槽架台１３の水平板部１３１を、水平板部１３１の幅方向にずらした位置の二箇所で打抜き、打抜き部位１３２，１３２からの打出し片を各々矢印方向ｘ，ｘ′に９０゜折曲げて、双方の折返し片１３３，１３３間に透視間隙ｄ2を形成する。この透視間隙ｄ2はルーバーサポート１１の肉厚ｄ1と略同等か若干広めに設定する。
【００１１】
この様に、ルーバーサポート１１の下端には、受皿辺縁部１２１の立上げ片１２３を挟着する切欠き部１１２が形成され、また散水槽架台１３の水平板部１３１には、ルーバーサポート１１の上端を挟持する折返し片１３３，１３３が形成されたことにより、図５に側面図で示すように、冷却塔Ａの受皿１２の辺縁部１２１と散水槽架台１３間に、極めて容易にルーバーサポート１１を取付けすることができる。
【００１２】
本発明を適用して冷却塔Ａにルーバーサポート１１を組込むには、先ず、受皿１２の辺縁部１２１に設けた支持枠１２２の立上げ片１２３に、ルーバーサポート１１の下端に設けた切欠き部１１２を挟着したのち、ルーバーサポート１１の上端を、散水槽架台１３の水平板部１３１から垂下形成した折返し片１３３，１３３間に挟持するのみで、ボルト等の締結具を一切用いず、極めて簡単に受皿１２の辺縁部１２１と散水槽架台１３間を支持するルーバーサポート１１の取付けを行なうことができる。
【００１３】
本発明により、ルーバーサポート１１の下端に設けた切欠き部１１２に、受皿辺縁部１２１に設けた支持枠１２２の立上げ片１２３を挟着し、一方、散水槽架台１３の水平板部１３１を二箇所打抜いて水平板部１３１の下方に折返し片１３３，１３３を垂下形成し、この折返し片１３３，１３３の相互間にルーバーサポート１１の上端を挟持するように為したので、冷却塔Ａの受皿１２の辺縁部１２１と散水槽架台１３間を支持するルーバーサポート１１を、極めて簡単、且つ容易に取付けることができて、冷却塔Ａの組立て作業工数の削減に大きく寄与するものである。
【図面の簡単な説明】
【図１】本発明の実施例を示す部分省略した透視斜視図である。
【図２】本発明で用いるルーバーサポートを示す側面図である。
【図３】本発明で散水槽架台に形成する折返し片を示す透視正面図である。
【図４】図１のＸ−Ｘ線矢示の側断面図により、散水槽架台と受皿辺縁部間に本発明品を取付けた状態を示す。
【図５】本発明品が取付けられた冷却塔を示す側面図である。
【図６】従来例を示す展開斜視図である。
【符号の説明】
１        取付け構成体
１１      ルーバーサポート
１１１    ルーバー止着孔
１１２    切欠き部
１１３    ルーバー
１２      受皿
１２１    受皿辺縁部
１２２    支持枠
１２３    立上げ片
１３      散水槽架台
１３１    水平板部
１３２    打抜き部位
１３３    折返し片
Ａ        冷却塔
ｄ1      ルーバーサポートの肉厚
ｄ2      透視間隙
【図１】
0003920506.tif 000002
【図２】
0003920506.tif 000003
【図３】
0003920506.tif 000004
【図４】
0003920506.tif 000005
【図５】
0003920506.tif 000006
【図６】
0003920506.tif 000007